(57)【要約】【課題】送信信号を復調せずに送信回路のＤＣオフセットを補償する。【解決手段】送信回路は、第一変調器２０と、第二変調器３０と、ＤＣオフセット補償データ演算部４０と、フィードバック部５０とを有する。第一変調器２０は、送信データを搬送波信号で変調して、変調信号を出力する。第二変調器３０は、変調信号を送信データで再変調して、再変調信号を出力する。ＤＣオフセット補償データ演算部４０は、再変調信号から送信信号のＤＣオフセットを補償するＤＣオフセット補償データを演算する。フィードバック部５０は、ＤＣオフセット補償データを送信データにフィードバックする。【選択図】図１
2014171174.tif 000002
【特許請求の範囲】
【請求項１】
送信データを搬送波信号で変調して、変調信号を出力する第一変調器と、
前記変調信号を前記送信データで再変調して、再変調信号を出力する第二変調器と、
前記再変調信号から送信信号のＤＣオフセットを補償するＤＣオフセット補償データを演算するＤＣオフセット補償データ演算部と、
前記ＤＣオフセット補償データを前記送信データにフィードバックするフィードバック部と、
を有することを特徴とする送信回路。
【請求項２】
前記ＤＣオフセット補償データは、前記再変調信号の包絡線の振幅の変動値から演算される、請求項１に記載の送信回路。
【請求項３】
前記ＤＣオフセット補償データ演算部は、前記再変調信号を二乗する二乗演算器と、前記二乗演算器から出力される信号を平滑化する平滑回路とを有する、請求項１又は２に記載の送信回路。
【請求項４】
前記再変調信号を復調する復調器を更に有する、請求項１又は２に記載の送信回路。
【請求項５】
ＰＳＫ変調で変調される、請求項１〜４の何れか一項に記載の送信回路。
【請求項６】
ＱＡＭ変調で変調される、請求項１〜４の何れか一項に記載の送信回路。
【請求項７】
送信データを搬送波信号で変調して、変調信号を出力し、
前記変調信号を前記送信データで再変調して、再変調信号を出力し、
前記再変調信号から送信信号のＤＣオフセットを補償するＤＣオフセット補償データを演算し、
前記ＤＣオフセット補償データを前記送信データにフィードバックする、
ことを特徴とする送信方法。
【発明の詳細な説明】
【技術分野】
【０００１】
本発明は、送信回路及び送信方法に関する。
【背景技術】
【０００２】
半導体装置の送信回路は、半導体装置の製造条件のばらつきなどに起因してＤＣオフセットが生じる。送信回路のＤＣオフセットによりキャリア漏洩が生じる。キャリア漏洩は、信号品質を劣化させるとともに、電力効率を低下させるため、送信回路にＤＣオフセットが生じることは好ましくない。
【０００３】
ＤＣオフセットを抑制するためにＤＣオフセットを補償する補償回路を配置した送信回路が知られている。従来の補償回路は、送信信号を復調する復調器を有し、復調器により復調された信号から送信信号のＤＣオフセットを検出している。そして、検出したＤＣオフセットがゼロになるような補償値を送信回路の入力端子又は内部端子にフィードバックすることにより、ＤＣオフセットが補償されている。
【０００４】
また、受信回路に、送信回路から送信された送信信号から搬送波を再生する搬送波再生回路を配置することが知られている。搬送波再生回路は、受信回路で受信された送信信号を再変調（逆変調とも称される）して、再生基準搬送波を生成する。そして、復調器は、送信信号と生成された再生基準搬送波とを使用して、送信データを受信装置において復調する。
【先行技術文献】
【特許文献】
【０００５】
【特許文献１】特開２００７−２９５４１９号公報
【特許文献２】国際公開第２００８／０１８２６３号パンフレット
【特許文献３】特公昭６３−３３８２６号公報
【発明の概要】
【発明が解決しようとする課題】
【０００６】
送信信号のＤＣオフセットを検出するために、復調器によって送信信号を復調するときに、復調に起因するＤＣオフセットが生じる。一般に、復調に起因するＤＣオフセットは、変調に起因するＤＣオフセットと大きさが相違するものである。このため、送信信号のＤＣオフセット検出する検出値には、変調に起因するＤＣオフセット及び復調に起因するＤＣオフセットという大きさが相違する２つのＤＣオフセットが含まれていた。送信信号のＤＣオフセット検出する検出値に大きさが相違する２つのＤＣオフセットが含まれているため、従来の送信回路では、検出値から変調に起因するＤＣオフセットを抽出して、ＤＣオフセットを補償することが容易でないという課題があった。
【課題を解決するための手段】
【０００７】
上記課題を解決するために、送信回路は、第一変調器と、第二変調器と、ＤＣオフセット補償データ演算部と、フィードバック部とを有する。第一変調器は、送信データを搬送波信号で変調して、変調信号を出力する。第二変調器は、変調信号を送信データで再変調して、再変調信号を出力する。ＤＣオフセット補償データ演算部は、再変調信号から送信信号のＤＣオフセットを補償するＤＣオフセット補償データを演算する。フィードバック部は、ＤＣオフセット補償データを送信データにフィードバックする。
【発明の効果】
【０００８】
送信回路では、変調信号を送信データで再変調して生成される再変調信号から演算されるＤＣオフセット補償データによりＤＣオフセットが補償されるので、復調に起因するＤＣオフセットの影響を受けずに変調に起因するＤＣオフセットが補償される。
【図面の簡単な説明】
【０００９】
【図１】送信回路の一例を示す図である。
【図２】（ａ）はＤＣオフセットがゼロである送信データの一例を示す図であり、（ｂ）は正のＤＣオフセットを含む送信データの一例を示す図であり、（ｃ）は負のＤＣオフセットを含む送信データの一例を示す図であり、（ｄ）は（ａ）に示す送信データを変調した送信信号を示す図であり、（ｅ）は（ｂ）に示す送信データを変調した送信信号を示す図であり、（ｆ）は（ｃ）に示す送信データを変調した送信信号を示す図である。
【図３】（ａ）は送信信号を再変調した再変調信号の一例を示す図であり、（ｂ）は（ａ）に示す再変調信号が処理された信号を示す図であり、（ｃ）は（ａ）に示す再変調信号が更に処理された信号を示す図であり、（ｄ）は送信信号を再変調した再変調信号の他の例を示す図であり、（ｅ）は（ｄ）に示す再変調信号が処理された信号を示す図である。
【図４】図１に示す送信回路の処理フローを示す図である。
【図５】図４に示す処理フローの１つの処理の詳細な処理フローを示す図である。
【図６】送信回路の他の例を示す図である。
【図７】送信回路の他の例を示す図である。
【図８】（ａ）は図７に示す送信回路で処理された再変調信号の一例であり、（ｂ）は（ａ）に示す再変調信号が更に処理された信号である。
【図９】送信回路の他の例を示す図である。
【図１０】１６ＱＡＭの信号マッピングの一例を示す図である。
【図１１Ａ】（ａ）はＤＣオフセットがゼロである送信データのＩｃｈの一例を示す図であり、（ａ）は（ａ）に示す送信データのＩｃｈを変調した信号を示す図であり、（ｃ）は（ｂ）に示す信号を再変調した同相再変調信号を示す図であり、（ｄ）は（ｃ）に示す信号が平滑化された正の信号を示す図であり、（ｅ）は（ｃ）に示す信号が平滑化された負の信号を示す図である。
【図１１Ｂ】（ａ）は正のＤＣオフセットを含む送信データのＩｃｈの一例を示す図であり、（ａ）は（ａ）に示す送信データのＩｃｈを変調した信号を示す図であり、（ｃ）は（ｂ）に示す信号を再変調した同相再変調信号を示す図であり、（ｄ）は（ｃ）に示す信号が平滑化された正の信号を示す図であり、（ｅ）は（ｃ）に示す信号が平滑化された負の信号を示す図である。
【図１２】（ａ）は図１１Ａ（ｄ）に示す信号と図１１Ｂ（ｄ）に示す信号とを重ね合わせた図であり、（ｂ）は図１１Ａ（ｅ）に示す信号と図１１Ｂ（ｅ）に示す信号とを重ね合わせた図である。
【図１３】図９に示す送信回路の処理フローを示す図である。
【発明を実施するための形態】
【００１０】
図１は、送信回路の実施例を示す図である。
【００１１】
送信回路１は、Ｄ／Ａ変換器１０と、第一変調器２０と、第二変調器３０と、ＤＣオフセット補償データ演算部４０と、フィードバック部５０と、ＤＣオフセット補償データ加算部６０とを有する。
【００１２】
Ｄ／Ａ変換器１０は、ＤＣオフセット補償データ加算部６０から出力されるデジタル信号である送信データをアナログ信号に変換する。第一変調器２０及び第二変調器３０はそれぞれ、同一の構成を有するＰＳＫ（Phase Shift Keying）変調器である。第一変調器２０は、Ｄ／Ａ変換器１０から出力されるアナログ信号を搬送波で変調した変調信号を送信信号（変調波）として出力する。送信信号は、送信データを第一変調器２０でＢＰＳＫ変調した信号である。第二変調器３０は、Ｄ／Ａ変換器１０から出力されるアナログ信号で送信信号を再変調して、再変調信号を出力する。
【００１３】
図２（ａ）はＤＣオフセットがゼロである送信データの一例を示す図であり、図２（ｂ）は正のＤＣオフセットを含む送信データの一例を示す図であり、図２（ｃ）は負のＤＣオフセットを含む送信データの一例を示す図である。図２（ｄ）は図２（ａ）に示す送信データを変調した送信信号を示す図であり、図２（ｅ）は図２（ｂ）に示す送信データを変調した送信信号を示す図であり、図２（ｆ）は図２（ｃ）に示す送信データを変調した送信信号を示す図である。図２（ｄ）、（ｅ）、（ｆ）において、破線は送信信号の包絡線を示す。
【００１４】
図２（ｄ）に示すように、送信データにＤＣオフセットがゼロである場合、送信信号の包絡線は一定の振幅を有する。一方、送信データに正又は負のＤＣオフセットがある場合、送信信号の包絡線の振幅は送信データの値に応じて変動する。
【００１５】
図２（ｂ）及び２（ｅ）に示すように、送信データが正のＤＣオフセットを含む場合、送信データの符号が正であるときは、送信信号の包絡線の振幅は増加し、送信データの符号が負であるときは、送信信号の包絡線の振幅は減少する。一方、図２（ｃ）及び２（ｆ）に示すように、送信データが負のＤＣオフセットを含む場合、送信データの符号が正であるときは、送信信号の包絡線の振幅は減少し、送信データの符号が負であるときは、送信信号の包絡線の振幅は増加する。
【００１６】
再変調信号は、搬送波に送信データを２回ミキシングした信号なので、再変調信号の振幅は、送信データのＤＣオフセットの二乗に相関した値になる。すなわち、再変調信号の一方の振幅は、送信データの振幅にＤＣオフセットを加算したものを二乗した値に比例し、再変調信号の他方の振幅は、送信データの振幅からＤＣオフセットを減算したものを二乗した値に比例する。例えば、送信信号が送信信号の振幅の０．１倍のＤＣオフセットを含む場合、再変調信号の一方の振幅は、送信データの振幅の１．２１倍に比例し、再変調信号の他方の振幅は、０．８１倍に比例する。
【００１７】
ＤＣオフセット補償データ演算部４０は、Ａ／Ｄ変換器４００と、二乗回路４０１と、ローパスフィルタ４０２と、第一レジスタ４０３と、第二レジスタ４０４と、差分演算部４０５と、絶対値記憶部４０６とを有する。ＤＣオフセット補償データ演算部４０は、遅延回路４０７と、符号判定部４０８と、符号付加部４０９と、データ変換部４１０とを更に有する。
【００１８】
Ａ／Ｄ変換器４００は、第二変調器３０から出力される再変調信号を、搬送波の２倍の周期でサンプリングして、第二変調器３０から出力される再変調信号をデジタル信号に変換する。
【００１９】
二乗回路４０１は、Ａ／Ｄ変換器４００でデジタル化された再変調信号を二乗する。次いで、ローパスフィルタ４０２は、二乗回路４０１で二乗された再変調信号を平滑化する。再変調信号は、二乗回路４０１及びローパスフィルタ４０２で処理されることにより、搬送波成分が取り除かれ、二乗された再変調信号の包絡線が抽出される。
【００２０】
第一レジスタ４０３は２段のフリップフロップ群を有する。第一レジスタ４０３のフリップフロップ群はそれぞれ、Ａ／Ｄ変換器４００の分解能に対応する数のフリップフロップを含む。第一レジスタ４０３のフリップフロップ群に含まれるフリップフロップのクロック入力端子は、送信データのデータレートのナイキスト周波数と同一の周期を有するパルス信号が入力される。第二レジスタ４０４は、第一レジスタ４０３のフリップフロップ群と同一の構成を有する単一段のフリップフロップ群を有する。差分演算部４０５は、第一レジスタ４０３の出力データから第二レジスタ４０４の出力データを減算する。
【００２１】
第一レジスタ４０３、第二レジスタ４０４及び差分演算部４０５は、送信データのデータレートで、二乗された再変調信号の包絡線の振幅の変動値を演算する機能を有する。
【００２２】
絶対値記憶部４０６は、メモリを有し、第一レジスタ４０３、第二レジスタ４０４及び差分演算部４０５が演算した二乗された再変調信号の包絡線の振幅の変動値の絶対値に対応するデータを記憶する。
【００２３】
図３（ａ）は第二変調器３０から出力される再変調信号の一例を示す図である。図３（ｂ）は図３（ａ）に示す再変調信号が二乗回路４０１により二乗された再変調信号を示す図であり、図３（ｃ）は図３（ｂ）に示す二乗された再変調信号がローパスフィルタ４０２により更に処理された信号を示す図である。図３（ｄ）は第二変調器３０から出力される再変調信号の他の例を示す図であり、図３（ｅ）は図３（ｄ）に示す再変調信号が二乗回路４０１及びローパスフィルタ４０２により処理された信号を示す図である。
【００２４】
図３（ｂ）に示す二乗された再変調信号の包絡線の振幅の変動値は、再変調信号の包絡線の振幅の変動値に比例する。図３（ｂ）に示す信号は、再変調信号を二乗したものなので、周波数は２倍になるが、包絡線の振幅に対する包絡線の振幅の変動値の割合は変化しないためである。また、再変調信号の振幅の変動値は、送信データのＤＣオフセットに比例する。再変調信号の振幅の変動値は、送信データの振幅にＤＣオフセットを加算したものを二乗した値から、送信データの振幅からＤＣオフセットを減算したものを二乗した値を減算した値に比例するためである。したがって、第一レジスタ４０３、第二レジスタ４０４及び差分演算部４０５により演算される変動値は、送信信号のＤＣオフセットに比例する。
【００２５】
図３（ａ）の信号は、ＤＣオフセットが搬送波の振幅の０．１倍の場合の再変調信号であり、図３（ｄ）の信号は、ＤＣオフセットが搬送波の振幅の０．０２５倍の場合の再変調信号である。図３（ｃ）において、ＤＣオフセットが搬送波の振幅の０．１倍の場合のローパスフィルタ４０２の出力信号を示す曲線の振幅の変動値は矢印Ａで示される。図３（ｅ）において、ＤＣオフセットが搬送波の振幅の０．０２５倍の場合のローパスフィルタ４０２の出力信号を示す曲線の振幅の変動値は矢印Ｂで示される。
【００２６】
遅延回路４０７は、第二変調器３０並びにＡ／Ｄ変換器４００、二乗回路４０１、ローパスフィルタ４０２、第一レジスタ４０３、第二レジスタ４０４及び差分演算部４０５の合計の処理時間に応じた段数のフリップフロップ群を有する。遅延回路４０７は、Ｄ／Ａ変換器１０の出力信号を、第二変調器３０並びにＡ／Ｄ変換器４００、二乗回路４０１、ローパスフィルタ４０２、第一レジスタ４０３、第二レジスタ４０４及び差分演算部４０５の合計の処理時間だけ遅延させる。
【００２７】
符号判定部４０８は、遅延回路４０７で遅延されたＤ／Ａ変換器１０の出力信号の符号と、差分演算部４０５で演算された変動値の符号とから送信信号が正のＤＣオフセットを含むか負のオフセットを含むかを判定する。
【００２８】
符号判定部４０８は、Ｄ／Ａ変換器１０の出力信号の符号が「正」であり且つ差分演算部４０５で演算された変動値の符号が「正」であるとき、送信信号が正のＤＣオフセットを含んでいると判定する。また、符号判定部４０８は、Ｄ／Ａ変換器１０の出力信号の符号が「負」であり且つ差分演算部４０５で演算された変動値の符号が「負」であるとき、送信信号が正のＤＣオフセットを含んでいると判定する。すなわち、符号判定部４０８は、Ｄ／Ａ変換器１０の出力信号の符号と差分演算部４０５で演算された変動値の符号とが一致するときに送信信号が正のＤＣオフセットを含んでいると判定する。
【００２９】
一方、符号判定部４０８は、Ｄ／Ａ変換器１０の出力信号の符号が「正」であり且つ差分演算部４０５で演算された変動値の符号が「負」であるとき、送信データが負のＤＣオフセットを含んでいると判定する。また、符号判定部４０８は、Ｄ／Ａ変換器１０の出力信号の符号が「負」であり且つ差分演算部４０５で演算された変動値の符号が「正」であるとき、送信データが負のＤＣオフセットを含んでいると判定する。すなわち、符号判定部４０８は、Ｄ／Ａ変換器１０の出力信号の符号と差分演算部４０５で演算された変動値の符号とが一致しないときに送信信号が負のＤＣオフセットを含んでいると判定する。
【００３０】
符号付加部４０９は、送信信号が正のＤＣオフセットを含んでいると判定された場合、絶対値記憶部４０６に記憶される変動値の絶対値に対応するデータを反転させたデータを出力する。また、送信信号が負のＤＣオフセットを含んでいると判定された場合、絶対値記憶部４０６に記憶される変動値の絶対値に対応するデータを反転せずに出力する。符号付加部４０９は、送信データのＤＣオフセットの符号と反対の符号を再変調信号の包絡線の振幅の変動値に付加する機能を有する。
【００３１】
データ変換部４１０は、二乗された再変調信号の包絡線の振幅の変動値と、送信データのＤＣオフセットとの間の相関関係を示す相関テーブルが記憶されるメモリを有する。データ変換部４１０は、メモリに記憶されるテーブルに基づいて、符号付加部４０９から出力されるデータを、ＤＣオフセットと同一の大きさに対応するデータに変換して、ＤＣオフセット補償データとして出力する。
【００３２】
ＤＣオフセット補償データ演算部４０は、第二変調器３０により送信信号が再変調された再変調信号から、送信信号のＤＣオフセットを補償するＤＣオフセット補償データを演算する機能を有する。
【００３３】
フィードバック部５０は、積分型のローパスフィルタである。フィードバック部５０は、ＤＣオフセット補償データ演算部４０から出力されるＤＣオフセット補償データを順次積分し平滑化する。
【００３４】
ＤＣオフセット補償データ演算部４０で演算されるＤＣオフセット補償データは、ローパスフィルタ４０２で平滑化されることにより抽出される包絡線の間の変動値を使用して演算されるデータである。しかしながら、ローパスフィルタ４０２で抽出される包絡線は十分に平滑化されずに凹凸を有する曲線となる。ＤＣオフセット補償データ演算部４０で演算されるＤＣオフセット補償データは、凹凸を有する曲線を使用して演算されるため、第一レジスタ４０３、第二レジスタ４０４が信号を記憶するタイミングにより、ばらつきを含むおそれがある。使用する曲線の凹凸に起因するＤＣオフセット補償データのばらつきをダンピングする機能も有している。
【００３５】
ＤＣオフセット補償データ加算部６０は、加算器を有し、送信データとフィードバック部５０の出力信号とを加算する。ＤＣオフセット補償データ加算部６０が送信データとフィードバック部５０の出力信号とを加算することにより、送信データに送信信号のＤＣオフセットを補償するデータがフィードバックされる。
【００３６】
図４は、送信回路１の処理フローを示す図である。
【００３７】
まず、ステップＳ１０１において、第一変調器２０は、Ｄ／Ａ変換器１０でアナログ信号に変換された送信データを搬送波で変調した変調信号を、送信信号として出力する。
【００３８】
次いで、ステップＳ１０２において、第二変調器３０は、Ｄ／Ａ変換器１０でアナログ信号に変換された送信データで第一変調器２０から出力された送信信号を再変調して、再変調信号を出力する。
【００３９】
次いで、ステップＳ１０３において、ＤＣオフセット補償データ演算部４０は、第二変調器３０から出力された再変調信号からＤＣオフセット補償データを演算する。
【００４０】
そして、ステップＳ１０４において、フィードバック部５０は、ステップＳ１０３で演算されたＤＣオフセット補償データを送信データにフィードバックして、送信信号のＤＣオフセットを補償する。
【００４１】
図５は、ステップ１０３に示される処理の詳細な処理フローを示す図である。
【００４２】
まず、ステップＳ２０１において、Ａ／Ｄ変換器４００は、第二変調器３０から出力された再変調信号をデジタル信号に変換する。
【００４３】
次いで、ステップＳ２０２において、二乗回路４０１は、ステップＳ２０１でデジタル信号に変換された再変調信号を二乗する。
【００４４】
次いで、ステップＳ２０３において、ローパスフィルタ４０２は、ステップＳ２０２で二乗された再変調信号を平滑化して、二乗された再変調信号の包絡線を抽出する。
【００４５】
次いで、ステップＳ２０４において、第一レジスタ４０３、第二レジスタ４０４及び差分演算部４０５は、ステップＳ２０３で抽出された二乗された再変調信号の包絡線の振幅の変動値を演算する。
【００４６】
次いで、ステップＳ２０５において、符号判定部４０８は、遅延回路４０７で遅延されたＤ／Ａ変換器１０の出力信号の符号と、差分演算部４０５で演算された変動値の符号とから送信信号が正のＤＣオフセットを含むか負のＤＣオフセットを含むかを判定する。
【００４７】
次いで、ステップＳ２０６において、符号付加部４０９は、ステップＳ２０５の判定結果に基づいて、再変調信号の包絡線の振幅の変動値に符号を付加する。
【００４８】
そして、ステップＳ２０７において、データ変換部４１０は、ステップＳ２０４で演算された二乗された再変調信号の包絡線の振幅の変動値を、ＤＣオフセット補償値に変換する。
【００４９】
送信回路１は、送信データを、第一変調器２０で変調した上で、さらに同一の構成を有する第二変調器３０で再変調して生成される再変調信号を使用してＤＣオフセットを補償する。再変調信号を生成するときに復調器を使用しないので、復調に起因するＤＣオフセットの影響を受けずに変調に起因するＤＣオフセットが補償される。
【００５０】
また、再変調信号の振幅の包絡線の振幅の変動値は、送信信号のＤＣオフセットに比例する。データ変換部４１０に記憶される相関テーブルは、再変調信号の振幅の包絡線の振幅の変動値と送信信号のＤＣオフセットとの間の比例関係を勘案すればよく、相関テーブルの作成は容易である。Ａ／Ｄ変換器４００などＤＣオフセット補償データ演算部４０内部の素子による処理により生じるＤＣオフセットは、ＤＣオフセット補償データ演算部４０における変動値の演算では考慮しなくてよい。ＤＣオフセット補償データ演算部４０内部の素子による処理によりＤＣオフセットが生じた場合でも、ＤＣオフセットは処理する信号の全体に亘って均等に生じるため、再変調信号の振幅の包絡線の振幅の変動値の演算に影響を与えないためである。
【００５１】
なお、図２（ｅ）及び２（ｆ）に示すように、第一変調器２０で変調された送信信号においても送信データのＤＣオフセットに起因する包絡線の振幅の変動は生じている。そこで、送信信号を再変調せずに送信信号の包絡線の振幅の変動値を使用してＤＣオフセットを演算することが考えられる。しかしながら、ＰＳＫ変調された送信信号では、シンボル間の位相が不連続になっているため、ＰＳＫ変調された送信信号をＡ／Ｄ変換器でサンプリングするときに位相誤差が生じる。このため、送信信号の変動値を使用してＤＣオフセットを演算する場合、Ａ／Ｄ変換器における位相誤差により演算の精度が低下する。一方、図３（ａ）に示すように、送信回路１ではシンボル間の位相の不連続がキャンセルされ、位相が連続する再変調信号を使用するので、Ａ／Ｄ変換器４００におけるサンプリングでの位相誤差が生じるおそれがない。このため、送信回路１では、Ａ／Ｄ変換器における位相誤差により演算の精度が低下することはない。
【００５２】
図６は、送信回路の他の実施例を示す図である。
【００５３】
送信回路２は、送信信号がＢＰＳＫ変調ではなく、ＱＰＳＫ変調されて送信されることが図１に示す送信回路１と相違する。送信回路２では、送信信号は、同相成分のＩｃｈと直交成分のＱｃｈとに分配されて入力される。Ｉｃｈ及びＱｃｈそれぞれは、第一変調器２０において、分配部２１で同相成分と直交成分とに分配された搬送波でＰＳＫ変調される。第一変調器２０でそれぞれＰＳＫ変調されたＩｃｈ及びＱｃｈは、合成部２２で合成されて送信信号として送信される。
【００５４】
また、送信信号は、分解部３１でＩｃｈ及びＱｃｈに分解される。分解された送信信号のＩｃｈ及びＱｃｈは、第二変調器３０において、送信データのＩｃｈ及びＱｃｈでそれぞれ再変調されて、同相再変調信号及び直交再変調信号として出力される。
【００５５】
送信回路２に配置されるＤＣオフセット補償データ演算部４１は、同相再変調信号及び直交再変調信号はそれぞれについて、ＤＣオフセット補償データを演算することが図１に示すＤＣオフセット補償データ演算部４０と相違する。
【００５６】
図７は、送信回路の他の実施例を示す図である。
【００５７】
送信回路３は、ＤＣオフセット補償データ演算部４２に二乗回路が配置されておらず、復調器７０が配置されることが図６に示す送信回路２と相違する。
【００５８】
復調器７０は、一対のミキシング部７００と、分配部７０１と、一対のローパスフィルタ７０２とを有する。一対のミキシング部７００はそれぞれ、同相再変調信号及び直交再変調信号と、分配部７０１で分配された搬送波とをミキシングする。一対のミキシング部７００でそれぞれミキシングされた同相再変調信号及び直交再変調信号は、一対のローパスフィルタ７０２で平滑化される。
【００５９】
図８（ａ）はミキシング部７００でミキシングされた再変調信号の一例であり、図８（ｂ）は図８（ａ）に示す再変調信号がローパスフィルタで平滑化された信号である。
【００６０】
図８（ａ）において矢印Ｃで示す復調された再変調信号の包絡線の振幅の変動値は、送信データのＤＣオフセットに比例する。ＤＣオフセット補償データ演算部４２は、復調器７０から出力される平滑化された同相再変調信号及び直交再変調信号を使用して、それぞれの信号のＤＣオフセット補償データを演算する。
【００６１】
図９は、送信回路の他の実施例を示す図である。
【００６２】
送信回路４は、送信信号がＱＰＳＫ変調ではなく、１６ＱＡＭ変調されて送信されることが図６に示す送信回路２と相違する。送信回路４は、一対の多値化部８０を有する。一対の多値化部８０は、Ｉｃｈ及びＱｃｈそれぞれにおいて２ビットごとに信号を多値化する。
【００６３】
図１０は、１６ＱＡＭの信号マッピングを示す図である。
【００６４】
図１０に示すように、１６ＱＡＭにマッピングされる信号間距離を「２」とする。また、座標軸と座標軸に近接して配置される信号との距離を「１」とする。これらの数値は本発明の動作を簡単に説明するために便宜上、仮にこのような数値としている。一対の多値化部８０は、送信データのマッピング情報に応じて、信号の振幅を変化させて送信信号をマッピングする。
【００６５】
ＤＣオフセット補償データ演算部４３は、一対の遅延回路４３０と、符号判定部４１１と、一対の比較部４３１と、係数選択部４３２と、一対のミキシング部４３３と、ゲート部４３４とを有することが図７に示すＤＣオフセット補償データ演算部４２と相違する。また、ＤＣオフセット補償データ演算部４３は、一対の符号判定部４０８の代わりに一対の符号判定部４３８が配置されることがＤＣオフセット補償データ演算部４２と更に相違する。
【００６６】
符号判定部４１１は、一対のＡ／Ｄ変換器４００でサンプリングされてデジタル化された再変調信号の符号を判定して、その判定結果を一対の符号判定部４３８に出力する。
【００６７】
一対の遅延回路４３０は、一対の遅延回路４０７に多値化部８０、一対のＤＣオフセット補償データ加算部６０及びＤ／Ａ変換器１０の処理時間に相当する段数のフリップフロップ群が遅延回路４０７に付加される。一対の遅延回路４３０は、いわゆるＦＩＦＯ（First In First Out）のように、一対の多値化部８０の出力信号を順次出力する。
【００６８】
一対の比較部４３１は、一対の遅延回路４３０の最終段のフリップフロップ群の出力信号の絶対値と、最終段の前段のフリップフロップ群の出力信号の絶対値とを比較する。また、一対の比較部４３１は、一対の遅延回路４３０の最終段のフリップフロップ群の出力信号の符号と、最終段の前段のフリップフロップ群の出力信号の符号とを比較する。一対の比較部４３１は、最終段及び最終段の前段のフリップフロップ群の出力信号の絶対値が同一であり、且つ最終段及び最終段の前段のフリップフロップ群の出力信号の符号が相違するときに、ゲート開信号をゲート部４３４に出力する。なお、一対の比較部４３１が最終段及び最終段の前段のフリップフロップ群の出力信号の絶対値が同一であるか否かを判断するとき、絶対値が全く等しい場合だけでなく、ＤＣオフセットの影響により絶対値からずれている場合でも絶対値は同一であると判断する。
【００６９】
一対の比較部４３１は、送信データのＩｃｈ及びＱｃｈの連続する２つのシンボルを比較する。送信データのＩｃｈを比較する比較部４３１は、連続するシンボルの送信データのＩｃｈの絶対値が同一であり、且つ連続するシンボルの送信データのＩｃｈの符号が相違するときに、ゲート開信号をゲート部４３４に出力する。一方、送信データのＱｃｈを比較する比較部４３１は、連続するシンボルの送信データのＱｃｈの絶対値が同一であり、且つ連続するシンボルの送信データのＱｃｈの符号が相違するときに、ゲート開信号をゲート部４３４に出力する。
【００７０】
係数選択部４３２は、入力される送信データのＩｃｈ及びＱｃｈそれぞれについて、係数を決定する。送信データの最大振幅の絶対値は「３」である。送信データの最大振幅に対応するデータでないときのデータの振幅は「１」である。再変調信号の包絡線の振幅は、送信データの振幅の二乗に比例する。これから、係数選択部４３２は、入力される送信データのＩｃｈ及びＱｃｈがそれぞれ、送信データの最大振幅に対応するデータであるときは、係数を１に決定する。一方、係数選択部４３２は、入力される送信データのＩｃｈ及びＱｃｈがそれぞれ、送信データの最大振幅に対応するデータでないときは、係数を「９」に決定する。
【００７１】
一対のミキシング部４３３は、一対のデータ変換部から出力されるデータに、係数選択部４３２から出力される係数をそれぞれ乗算する。一対のミキシング部４３３が係数選択部４３２から出力される係数を一対のデータ変換部から出力されるデータに乗算することにより、多値化された送信データの振幅にかかわらず一対のミキシング部４３３から出力されるデータの絶対値は等しくなる。
【００７２】
ゲート部４３４は、送信データのＩｃｈを比較する比較部４３１からゲート開信号が入力されたときにゲートを開き、Ｉｃｈに対応するミキシング部４３３から出力されるデータをＩｃｈに対応するフィードバック部５０に出力する。また、ゲート部４３４は、送信データのＱｃｈを比較する比較部４３１からゲート開信号が入力されたときにゲートを開き、Ｑｃｈに対応するミキシング部４３３から出力されるデータをＱｃｈに対応するフィードバック部５０に出力する。
【００７３】
符号判定部４３８は、符号判定部４１１の判定に基づいて、正のＤＣオフセットを含むか負のＤＣオフセットを含むかを判定する。符号判定部４３８は、符号判定部４１１が再変調信号の符号が正であると判定したときは、符号判定部４０８の判定と同様の判定をする。一方、符号判定部４３８は、符号判定部４１１が再変調信号の符号が負であると判定したときは、符号判定部４０８の判定と反対の判定をする。すなわち、再変調信号の符号が負であるとき、符号判定部４３８は、Ｄ／Ａ変換器１０の出力信号の符号と差分演算部４０５で演算された変動値の符号とが一致するときに送信信号が負のＤＣオフセットを含んでいると判定する。また、再変調信号の符号が負であるとき、符号判定部４０８は、Ｄ／Ａ変換器１０の出力信号の符号と差分演算部４０５で演算された変動値の符号とが一致しないときに送信信号が正のＤＣオフセットを含んでいると判定する。
【００７４】
図１１Ａ（ａ）はＤＣオフセットがゼロである送信データのＩｃｈの一例を示す図である。図１１Ａ（ｂ）は図１１Ａ（ａ）に示す送信データを変調した信号を示す図である。図１１Ａ（ｃ）は図１１Ａ（ｂ）に示す信号を再変調した同相再変調信号を示す図である。図１１Ａ（ｄ）はローパスフィルタ４０２で平滑化された正の同相再変調信号を示す図であり、図１１Ａ（ｅ）はローパスフィルタ４０２で平滑化された負の同相再変調信号を示す図である。図１１Ａ（ｃ）において、破線は同相再変調信号の包絡線を示す。
【００７５】
図１１Ｂ（ａ）は正のＤＣオフセットを含む図１１Ａ（ａ）に対応する送信データのＩｃｈを示す図である。図１１Ｂ（ｂ）は図１１Ｂ（ａ）に示す送信データを変調した信号を示す図である。図１１Ｂ（ｃ）は図１１Ｂ（ｄ）に示す信号を再変調した同相再変調信号を示す図である。図１１Ｂ（ｄ）はローパスフィルタ４０２で平滑化された正の同相再変調信号を示す図であり、図１１Ｂ（ｅ）はローパスフィルタ４０２で平滑化された負の同相再変調信号を示す図である。図１１Ｂ（ｃ）において、破線は同相再変調信号の包絡線を示す。
【００７６】
図１１Ａ（ｃ）、１１Ａ（ｄ）及び１１Ａ（ｅ）に示すように、ＤＣオフセットがゼロである送信データを再変調した場合、絶対値が同一の同相再変調信号の振幅は、送信データのＩｃｈの符号が正であるときと符号が負であるときとの間で変動しない。
【００７７】
一方、図１１Ｂ（ｃ）、１１Ｂ（ｄ）及び１１Ｂ（ｅ）に示すように、正のＤＣオフセットを含む送信データを再変調した場合、絶対値が同一の同相再変調信号の振幅は送信データのＩｃｈの符号が正であるときと符号が負であるときとの間で変動する。送信信号が正のＤＣオフセットを含む場合、送信データの符号が正であるときは、同相再変調信号の包絡線の振幅は増加し、送信データの符号が負であるときは、同相再変調信号の包絡線の振幅は減少するためである。
【００７８】
図１２（ａ）は、図１１Ａ（ｄ）に示す信号と図１１Ｂ（ｄ）に示す信号とを重ね合わせた図であり、図１２（ｂ）は、図１１Ａ（ｅ）に示す信号と図１１Ｂ（ｅ）に示す信号とを重ね合わせた図である。図１２（ａ）及び１２（ｂ）において、破線は図１１Ａ（ｄ）及び１１Ａ（ｅ）に示す信号であり、実線は図１１Ｂ（ｄ）及び１１Ｂ（ｅ）に示す信号である。
【００７９】
送信信号が正のＤＣオフセットを含む場合、送信データの符号が正であるとき、送信データの振幅の絶対値は、ＤＣオフセットがゼロである場合より大きくなる。また、送信信号が正のＤＣオフセットを含む場合、送信データの符号が負であるとき、送信データの振幅の絶対値は、ＤＣオフセットがゼロであるときよりも小さくなる。
【００８０】
図１２（ａ）において楕円Ａで示される部分では、実線で示される図１１Ｂ（ａ）に示す信号に対応する送信データは、正の最大振幅から負の最大振幅に遷移している。楕円Ａの遷移後の部分は、図１１Ｂ（ａ）に示す負の最大振幅の送信データに対応するので、この部分の送信データの符号は「負」である。一方、再変調信号の包絡線の振幅の変動値の符号は、絶対値が小さい負の振幅から絶対値が大きい負の振幅を減算するので、「負」である。上述のように、図１１Ｂ（ａ）に示す送信データは「正」のＤＣオフセットを含む。したがって、送信データの符号は「負」であり且つ再変調信号の包絡線の振幅の変動値の符号が「負」であるとき、符号判定部４３８は、送信信号が正のＤＣオフセットを含んでいると判定する。楕円Ｄで示される部分も同様である。
【００８１】
図１２（ａ）において楕円Ｂで示される部分では、実線で示される図１１Ｂ（ａ）に示す信号に対応する送信データは、負の最大振幅から正の最大振幅に遷移している。楕円Ｂの遷移後の部分は、図１１Ｂ（ａ）に示す正の最大振幅の送信データに対応するので、この部分の送信データの符号は「正」である。一方、再変調信号の包絡線の振幅の変動値の符号は、絶対値が大きい負の振幅から絶対値が小さい負の振幅を減算するので、「正」である。上述のように、図１１Ｂ（ａ）に示す送信データは「正」のＤＣオフセットを含む。したがって、送信データの符号は「正」であり且つ再変調信号の包絡線の振幅の変動値の符号が「正」であるとき、符号判定部４３８は、送信信号が正のＤＣオフセットを含んでいると判定する。楕円Ｃで示される部分も同様である。
【００８２】
図１２（ｂ）において楕円Ａで示される部分では、実線で示される図１１Ｂ（ａ）に示す信号に対応する送信データは、正の最大振幅から負の最大振幅に遷移している。楕円Ａの遷移後の部分は、図１１Ｂ（ａ）に示す負の最大振幅の送信データに対応するので、この部分の送信データの符号は「負」である。一方、再変調信号の包絡線の振幅の変動値の符号は、絶対値が小さい負の振幅から絶対値が大きい負の振幅を減算するので、「正」である。上述のように、図１１（ｅ）に示す送信データは「正」のＤＣオフセットを含む。したがって、送信データの符号は「負」であり且つ再変調信号の包絡線の振幅の変動値の符号が「正」であるとき、符号判定部４３８は、送信信号が正のＤＣオフセットを含んでいると判定する。楕円Ｄで示される部分も同様である。
【００８３】
図１２（ｂ）において楕円Ｂで示される部分では、実線で示される図１１Ｂ（ａ）に示す信号に対応する送信データは、負の最大振幅から正の最大振幅に遷移している。楕円Ｂの遷移後の部分は、図１１Ｂ（ａ）に示す正の最大振幅の送信データに対応するので、この部分の送信データの符号は「正」である。一方、再変調信号の包絡線の振幅の変動値の符号は、絶対値が大きい負の振幅から絶対値が小さい負の振幅を減算するので、「負」である。上述のように、図１１（ｅ）に示す送信データは「正」のＤＣオフセットを含む。したがって、送信データの符号は「正」であり且つ再変調信号の包絡線の振幅の変動値の符号が「負」であるとき、符号判定部４３８は、送信信号が正のＤＣオフセットを含んでいると判定する。楕円Ｃで示される部分も同様である。
【００８４】
符号判定部４３８は、Ａ／Ｄ変換器４００で正の再変調信号がサンプリングされた場合、Ｄ／Ａ変換器１０の出力信号の符号と差分演算部４０５で演算された変動値の符号とが一致するときに送信信号が正のＤＣオフセットを含んでいると判定する。また、図示されていないが、符号判定部４３８は、Ｄ／Ａ変換器１０の出力信号の符号と差分演算部４０５で演算された変動値の符号とが一致しないときに送信信号が負のＤＣオフセットを含んでいると判定する。
【００８５】
一方、符号判定部４３８は、Ａ／Ｄ変換器４００で負の再変調信号がサンプリングされた場合、Ｄ／Ａ変換器１０の出力信号の符号と差分演算部４０５で演算された変動値の符号とが一致しないときに送信信号が正のＤＣオフセットを含んでいると判定する。また、図示されていないが、符号判定部４３８は、Ｄ／Ａ変換器１０の出力信号の符号と差分演算部４０５で演算された変動値の符号とが一致するときに送信信号が負のＤＣオフセットを含んでいると判定する。
【００８６】
図１３は、ＤＣオフセット補償データ演算部４３の処理フローを示す図である。
【００８７】
まず、ステップＳ３０１において、一対のＡ／Ｄ変換器４００は、第二変調器３０から出力された同相再変調信号及び直交再変調信号をそれぞれデジタル信号に変換する。一対のＡ／Ｄ変換器４００は、同相再変調信号及び直交再変調信号の負の最大振幅のデータをサンプリングする。
【００８８】
次いで、ステップＳ３０２において、一対のローパスフィルタ４０２は、ステップＳ３０１でデジタル信号に変換された同相再変調信号及び直交再変調信号を平滑化して、同相再変調信号及び直交再変調信号の包絡線を抽出する。
【００８９】
次いで、ステップＳ３０３において、一対の第一レジスタ４０３、第二レジスタ４０４及び差分演算部４０５は、ステップＳ３０２で平滑化された再変調信号の包絡線の振幅の変動値を演算する。
【００９０】
次いで、ステップＳ３０４において、一対の符号判定部４３８は、ＤＣオフセットが正であるか負であるかを判定する。このとき、一対の符号判定部４３８は、符号判定部４１１が判定した再変調信号の符号と、一対の遅延回路４０７で遅延された一対のＤ／Ａ変換器１０の出力信号の符号と、一対の差分演算部４０５で演算された変動値の符号とに基づいて判定する。
【００９１】
次いで、ステップＳ３０５において、符号付加部４０９は、ステップＳ２０５の判定結果に基づいて、再変調信号の包絡線の振幅の変動値に符号を付加する。
【００９２】
次いで、ステップＳ３０６において、一対のデータ変換部４１０は、ステップＳ３０３で演算された再変調信号の包絡線の振幅の変動値をＤＣオフセット補償値に変換する。
【００９３】
次いで、ステップＳ３０７において、係数選択部４３２は、一対の遅延回路４３０の最終段のフリップフロップ群の出力信号の絶対値に基づいて、入力される送信データのＩｃｈ及びＱｃｈそれぞれについて、係数を決定する。
【００９４】
次いで、ステップＳ３０８において、一対のミキシング部４３３は、一対のデータ変換部４１０から出力される信号に、係数選択部４３２から出力される係数をそれぞれ乗算する。
【００９５】
次いで、ステップＳ３０９において、一対の比較部４３１は、送信データのＩｃｈ及びＱｃｈそれぞれの前後のシンボルの間を比較する。送信データのＩｃｈを比較する比較部４３１は、連続するシンボルの送信データのＩｃｈの絶対値が同一であり、且つ連続するシンボルの送信データのＩｃｈの符号が相違するときに、ゲート開信号をゲート部４３４に出力する。一方、送信データのＱｃｈを比較する比較部４３１は、連続するシンボルの送信データのＱｃｈの絶対値が同一であり、且つ連続するシンボルの送信データのＱｃｈの符号が相違するときに、ゲート開信号をゲート部４３４に出力する。
【００９６】
そして、ステップＳ３１０において、ゲート部４３４は、ステップＳ３０９の比較結果に基づいて、ゲートを開閉する。ゲート部４３４は、送信データのＩｃｈを比較する比較部４３１からゲート開信号が入力されたときにゲートを開き、Ｉｃｈに対応するミキシング部４３３から出力される信号をＩｃｈに対応するフィードバック部５０に出力する。また、ゲート部４３４は、送信データのＱｃｈを比較する比較部４３１からゲート開信号が入力されたときにゲートを開き、Ｑｃｈに対応するミキシング部４３３から出力される信号をＱｃｈに対応するフィードバック部５０に出力する。
【００９７】
以下、他の実施形態について説明する。
【００９８】
送信回路１はＢＰＳＫ変調して送信信号を出力し、送信回路２及び３はＱＰＳＫ変調して送信信号を出力するが、送信回路は、８ＰＳＫ変調及び１６ＰＳＫ変調など更に多値化されたＰＳＫ変調で変調してもよい。
【００９９】
また、送信回路４は１６ＱＡＭ変調して送信信号を出力するが、送信回路は、６４ＱＡＭ変調及び２５６ＱＡＭ変調など更に多値化されたＱＡＭ変調で変調してもよい。また、送信回路は、ＰＳＫ変調及びＱＡＭ変調だけでなく、位相偏移を伴う他の変調によって変調してもよい。
【０１００】
また、送信回路１〜４では、送信データがＤＣオフセットを含む場合について説明されているが、搬送波がＤＣオフセットを含んでもよい。例えば、送信データがＤＣオフセットを含まず、搬送波がＤＣオフセットを含む場合、再変調信号の包絡線の振幅の変動値は搬送波のＤＣオフセットに比例する。
【０１０１】
以上、実施形態を説明したが、ここに記載したすべての例や条件は、発明および技術に適用する発明の概念の理解を助ける目的で記載されたものである。特に記載された例や条件は発明の範囲を制限することを意図するものではなく、明細書のそのような例の構成は発明の利点および欠点を示すものではない。発明の実施形態を詳細に記載したが、各種の変更、置き換え、変形が発明の精神および範囲を逸脱することなく行えることが理解されるべきである。
【符号の説明】
【０１０２】
１、２、３、４    送信回路
１０    Ｄ／Ａ変換器
２０    第一変調器
３０    第二変調器
４０、４１、４２、４３    ＤＣオフセット補償データ演算部
５０    フィードバック部
６０    ＤＣオフセット補償データ加算部
【図１】
2014171174.tif 000003
【図２】
2014171174.tif 000004
【図３】
2014171174.tif 000005
【図４】
2014171174.tif 000006
【図５】
2014171174.tif 000007
【図６】
2014171174.tif 000008
【図７】
2014171174.tif 000009
【図８】
2014171174.tif 000010
【図９】
2014171174.tif 000011
【図１０】
2014171174.tif 000012
【図１１Ａ】
2014171174.tif 000013
【図１１Ｂ】
2014171174.tif 000014
【図１２】
2014171174.tif 000015
【図１３】
2014171174.tif 000016